(57)【特許請求の範囲】
【請求項１】
四周枠組みした窓枠本体の平面内に、鉛直方向に延在する方立と水平方向に延在する無目とを交差するように接合して組み込んだ窓枠において、
前記方立は、前記無目との接合部となる接合切欠き部を形成した屋内側の方立本体と、継ぎ目無く鉛直方向に延在する屋外側の鉛直通し部と、を有し、
前記無目は、継ぎ目無く水平方向に延在すると共に水返し部を形成した無目本体を有していることを特徴とする窓枠。
【請求項２】
前記無目は、前記無目本体の屋外側に添設され、前記鉛直通し部に対し交差する左右一対の水平ピースを、更に有し、
前記各水平ピースは、端面を前記鉛直通し部の側面に突き当てた状態で前記無目本体に装着されていることを特徴とする請求項１に記載の窓枠。
【請求項３】
前記各水平ピースは、前記無目本体に対しプッシュイン形式で装着されていることを特徴とする請求項２に記載の窓枠。
【請求項４】
前記無目には、前記接合切欠き部の屋外側端部を水平方向に跨いで、前記一対の水平ピースを連結する連結部材が設けられていることを特徴とする請求項２または３に記載の窓枠。
【請求項５】
前記窓枠本体は、四周に亘って外壁から突出する装飾突出部を有し、
前記装飾突出部、前記鉛直通し部および前記各水平ピースは、外壁面に対し略同寸法で突出し且つそれぞれモール状に形成されていることを特徴とする請求項２ないし４のいずれかに記載の窓枠。
【請求項６】
前記方立には、前記接合切欠き部の屋内側端部を鉛直方向に跨いで、前記無目本体を前記接合切欠き部に固定する固定部材が設けられ、
前記固定部材は、前記方立本体の小口から着脱自在に装着されていることを特徴とする請求項１ないし５のいずれかに記載の窓枠。
【請求項７】
請求項１ないし６のいずれかに記載の窓枠と、前記窓枠本体、前記方立および前記無目により区画された複数の面内領域のそれぞれに組み込んだ複数枚の障子と、を備えたことを特徴とする窓。
【請求項８】
前記各障子は、各面内領域に対し単一のもので構成され、且つその框体が内装材に隠れる隠し框となるように構成されていることを特徴とする請求項７に記載の窓。
【発明の詳細な説明】
【技術分野】
【０００１】
本発明は、四周枠組みした窓枠本体の平面内に、方立と無目とを十字状に接合して組み込んだ窓枠およびこれを備えた窓に関するものである。
【背景技術】
【０００２】
従来、この種の窓枠として、屋外側から見た状態で、四周枠組みした窓枠本体と、窓枠本体の面内に方立および無目を十字状に組み込んだものが知られている（特許文献１の図７参照）。また、窓枠を構成する窓枠本体、方立および無目で区画された４つの開口部分には、それぞれ引き違いの障子が取り付けられている。この窓枠では、各開口部分に対応してそれぞれ四周枠組みした個別窓枠を有し、これら個別窓枠を縦横に連結するように通した装飾枠（カバー）により、窓枠本体、方立および無目が構成されている。
【特許文献１】特開昭６２−６０８３号公報
【発明の開示】
【発明が解決しようとする課題】
【０００３】
このような従来の窓枠では、４つの個別窓枠を縦横に並べた基本構造になっており、これらに通しで設けた装飾枠により、屋外視で窓枠本体、方立および無目が構成されている。このため、窓枠全体として部品点数および組付け工数が増す問題があった。もっとも、４つの個別窓枠の隣接する縦枠同士および上下枠同士を方立および無目と兼用するようにすれば、かかる問題は解消される。しかし、このようにすると、十字状に交差（接合）する方立および無目において、一般的には、方立を通しとしこれに両側から左右の無目を突き当てる構造とすることが想定される（同文献参照）。かかる場合に、充分な補強をしないと無目が強度不足となると共に、接合部分（無目の突き当て部分）の雨仕舞（シール性）が問題となる。
【０００４】
本発明は、交差接合された方立および無目の強度、並びにその接合部の雨仕舞性を損なうことのない窓枠およびこれを備えた窓を提供することをその課題としている。
【課題を解決するための手段】
【０００５】
本発明の窓枠は、四周枠組みした窓枠本体の平面内に、鉛直方向に延在する方立と水平方向に延在する無目とを交差するように接合して組み込んだ窓枠において、方立は、無目との接合部となる接合切欠き部を形成した屋内側の方立本体と、継ぎ目無く鉛直方向に延在する屋外側の鉛直通し部と、を有し、無目は、継ぎ目無く水平方向に延在すると共に水返し部を形成した無目本体を有していることを特徴とする。
【０００６】
この構成によれば、方立本体の接合切欠き部に、屋内側から無目本体が接合することにより、無目と方立とが交差するように接合される。この場合、方立は接合切欠き部を有する方立本体と継ぎ目無く延在する鉛直通し部と、で構成されているため、この鉛直通し部により、特別な補強を施すことなく充分な強度を維持することができる。また、無目本体が継ぎ目無く通しで設けられているため、この場合も充分な強度を維持することができる。さらに、無目本体には、横通しとなる水返し部が形成されているため、良好な雨仕舞性を維持することができる。そして、屋外側からの見えがかりは、無目に対し方立が通しなり、違和感のない意匠を構成することができる。
【０００７】
この場合、無目は、無目本体の屋外側に添設され、鉛直通し部に対し交差する左右一対の水平ピースを、更に有し、各水平ピースは、端面を鉛直通し部の側面に突き当てた状態で無目本体に装着さていることが、好ましい。
【０００８】
この構成によれば、鉛直通し部に対し左右の水平ピースが交差する形態となるため、屋外側からの外観意匠を損なうことがない。
【０００９】
この場合、各水平ピースは、無目本体に対しプッシュイン形式で装着されていることが、好ましい。
【００１０】
この構成によれば、鉛直通し部に突き当てるようにして各水平ピースを方立に組み付けておいて、これに無目本体を相対的にプッシュイン形式で組み付ける形態をとることができる。これにより、組立てに際し、両水平ピースにより鉛直通し部の側面が傷つくことがない。なお、方立に無目本体を取り付けた後、無目本体にプッシュイン形式で両水平ピースを装着し、さらに両水平ピースをスライドさせて鉛直通し部の側面に突き当てるようにすることも可能である。
【００１１】
これらの場合、無目には、接合切欠き部の屋外側端部を水平方向に跨いで、一対の水平ピースを連結する連結部材が設けられていることが、好ましい。
【００１２】
この構成によれば、連結部材により、両水平ピースをがたつき無く安定に組み付けることができる。
【００１３】
これらの場合、窓枠本体は、四周に亘って外壁から突出する装飾突出部を有し、装飾突出部、鉛直通し部および各水平ピースは、外壁面に対し略同寸法で突出し且つそれぞれモール状に形成されていることが、好ましい。
【００１４】
この構成によれば、モール状の縦横のラインが強調され、外観意匠を向上させることができる。
【００１５】
これらの場合、方立には、接合切欠き部の屋内側端部を鉛直方向に跨いで、無目本体を接合切欠き部に固定する固定部材が設けられ、固定部材は、方立本体の小口から着脱自在に装着されていることが、好ましい。
【００１６】
この構成によれば、方立と無目本体とをがたつき無く接合することができ、全体として強度アップを図ることができる。また、方立と無目本体とが適宜密接するため、この接合部分の水密性および気密性を向上させることができる。さらに、固定部材を、方立本体の小口から着脱自在に装着するようにしているため、固定部材の取り付けを簡単に行うことができる。
【００１７】
本発明の窓は、上記した窓枠と、窓枠本体、方立および無目により区画された複数の面内領域のそれぞれに組み込んだ複数枚の障子と、を備えたことを特徴とする。
【００１８】
この場合、各障子は、各面内領域に対し単一のもので構成され、且つその框体が内装材に隠れる隠し框となるように構成されていることが、好ましい。
【００１９】
この構成によれば、充分な強度と良好な雨仕舞性を有する方立および無目付きの窓枠を提供することができると共に、屋内側から見てすっきりした意匠を構成することができる。
【発明の効果】
【００２０】
以上のように、本発明の窓枠および窓によれば、方立の鉛直通し部および無目本体により、縦方向および横方向において充分な強度を維持することができ、且つ無目本体の水返し部により、雨仕舞性を維持することができる。したがって、障子を直接支持する枠体を方立および無目で兼用させることができ、部品点数および組立て工数を削減することができる。
【発明を実施するための最良の形態】
【００２１】
以下、添付図面を参照して、本発明の一実施形態に係る窓枠を適用した２種類の窓について説明する。図１の姿図に示すように、第１の窓１Ａは、２連２段の連段窓形式のものであり、上段には２つの縦すべり出し窓或いは横すべり出し窓が構成され、下段には２つのフィックス窓が構成されている。具体的には、第１の窓１Ａは、上枠４、下枠５および両縦枠６，６を枠組みした窓枠本体３に、十字状に接合した方立７および無目８を組み込んで４つの開口部９を形成した窓枠２を備えると共に、窓枠２の上段２つの開口部４，４に装着した縦すべり出し障子１１または横すべり出し障子１２と、下段２つの開口部４，４に装着した２つのフィックス障子１４，１４と、を備えている。
【００２２】
同様に、図２の姿図に示すように、第２の窓１Ｂは、３連２段の連段窓形式のものであり、上段には中間のフィックス窓と両側の縦すべり出し窓或いは横すべり出し窓が構成され、下段には３つのフィックス窓が構成されている。具体的には、第２の窓１Ｂは、上枠４、下枠５および両縦枠６，６を枠組みした窓枠本体３に、２本の方立７および１本の無目８を組み込んで６つの開口部９を形成した窓枠２を備えると共に、窓枠２の上段中間の開口部９に装着した縦長フィックス障子１３およびその両側２つの開口部９，９に装着した縦すべり出し障子１１または横すべり出し障子１２と、下段３つの開口部９，９，９に装着した３つのフィックス障子１４，１４，１４と、を備えている。
【００２３】
第１の窓１Ａおよび第２の窓１Ｂは、いずれも障子が隠し框の形態を有しており、屋内側から見ると、各開口部９には内装材（額縁）Ｓ越しに窓ガラスのみが見えるようになっている（図１（ｂ）および図２（ｂ）参照）。ところで、第１の窓１Ａおよび第２の窓１Ｂは、その全体形状は異なるものの、構成部品のそれぞれはほぼ共通している。そこで、以下の説明では、第２の窓１Ｂを例に説明を進める。なお、この場合の第２の窓１Ｂは、上段の３つの開口部９，９，９に、屋内視左側から縦すべり出し障子１１、縦長フィックス障子１３、横すべり出し障子１２が装着され、下段の３つの開口部９，９，９に、すべてフィックス障子１４が装着されている。また、縦すべり出し障子１１および横すべり出し障子１２の屋内側には、それぞれ可動網戸１５，１５が装着されている（図３および図４参照）。
【００２４】
図２ないし図５に示すように、縦すべり出し障子１１は、四周框組みした框体２１と、これに組み込んだ複層ガラス２２と、框体２１の左部上面に設けた上ヒンジ部材２３と、框体２１の左部下面に設けた下ヒンジ部材２４と、縦すべり出し障子１１を開閉操作させる図外のリンクアームおよび操作ハンドルと、を備えている。操作ハンドルを一方向に回転させることで、リンクアームを介して縦すべり出し障子１１が、右方に幾分スライドしながら屋外側に所定の角度をもって開放（右部開放）する。同様に、横すべり出し障子１２は、四周框組みした框体２６と、これに組み込んだ複層ガラス２７と、框体２６の上部左側面に設けた左ヒンジ部材２８と、框体２６の上部右側面に設けた右ヒンジ部材（図示省略）と、横すべり出し障子１２を開閉操作させる図外のリンクアームおよび操作ハンドルと、を備えている。操作ハンドルを一方向に回転させることで、リンクアームを介して横すべり出し障子１２が、下方に幾分スライドしながら屋外側に所定の角度をもって開放（下部開放）する。なお、図中の符号２５および３０は、閉塞状態の縦すべり出し障子１１および横すべり出し障子１２をそれぞれ窓枠にロックするロックハンドルである。
【００２５】
縦長フィックス障子１３と３つのフィックス障子１４とは、大きさは異なるが同一の基本形態を有している。そこで、以下、フィックス障子１４について説明し、縦長フィックス障子１３の説明は省略する。各フィックス障子１４は、四周框組みした框体３１と、これに組み込んだ複層ガラス３２と、を備えている。框体３１は、框体本体３４と、上押し縁３５および両縦押し縁３６，３６とを有すると共に、両縦押し縁３６，３６に対応して、両縦押し縁３６，３６の屋内側直近に設けた左右一対の押し縁アタッチメント３７，３７を有している。また、詳細は後述するが、框体本体３４の下面には係止突条３８が形成されると共に、下枠（無目）５にはこの係止突条３８が係止される左右一対の係止溝ブロック３９が設けられている（図３参照）。
【００２６】
図６および図７は、新設の場合と既設の場合で異なると共に、隠し框ならではのフィックス障子１４の窓枠２への着脱構造を、それぞれ表している。図６に示すように、新設の場合（装着）には、先ず窓枠２を施工した後であって内装材Ｓを施工する前に、窓枠２に対し屋外側からフィックス障子１４の框体本体３４を組み込む。この場合、框体本体３４を斜めに保持した状態で、上記の係止突条３８を一対の係止溝ブロック３９に差し込み、これを起点に框体本体３４を窓枠２に押し込むようにする。そして、框体本体３４の四周を内側から窓枠２にねじ止め（固定ビス）する。次に、屋内側から複層ガラス３２を持ち込み、この場合も複層ガラス３４を斜めに保持し、その下端部から框体本体３４に押し入れるようにする。その後、それぞれビード４０と共に両縦押し縁３６，３６および上押し縁３５を装着し、さらに左右の押し縁アタッチメント３７，３７を装着する。最後に、内装材Ｓを施工する。
【００２７】
一方、図７に示すように、既設の場合（離脱）には、図示では省略したが内装材Ｓが施工されており、先ず屋内側から上押し縁３５とそのビード４０を外すと共に、左右の押し縁アタッチメント３７，３７を外す。この状態で複層ガラス３２は、残る両縦押し縁３６，３６に押さえられている。次に、上記の框体本体３４を窓枠２に固定している全ての固定ビス４１を外し、框体本体３４、これに組み込まれている複層ガラス３２および両縦押し縁３６，３６を一体として、上記と逆の手順で窓枠２から屋外側に取り外す。なお、再度フィックス障子１４を装着する場合（既設装着の場合）には、上記と逆の手順となる。
【００２８】
ところで、上記の固定ビス４１は、図３および図４に示すように、フィックス障子１４の上框４３における上押し縁３５により隠れる位置、および各縦框４４における押し縁アタッチメント３７により隠れる位置に設けられている。すなわち、上押し縁３５が、上框４３に形成したビス打ちのための開口を隠蔽し、押し縁アタッチメント３７が、縦框４４に形成したビス打ちのための開口を隠蔽している。上述のように、フィックス障子１４を外す場合（既設離脱）には、両縦押し縁３６，３６を残したまま固定ビス４１を外すことになるが、固定ビス４１の位置を、縦押し縁３６ではなく、押し縁アタッチメント３７の位置に設けることにより、縦押し縁３６を着脱する作業を不要としている。言い換えれば、押し縁アタッチメント３７を設けることにより、縦押し縁３６を外すことなく固定ビス４１を外すことができると共に、押し縁アタッチメント３７により、ビス打ちのための開口を隠し且つ内装材Ｓと縦押し縁３６との間隙を埋めることができるようになっている。
【００２９】
このように、本実施形態のフィックス障子１４では、自身が框体３１を有する構造とし、且つこれを窓枠２に組み込む際に、複層ガラス３２を屋内側から組み込むようにしているため、障子の種別に関わらず窓枠２の共通化を図ることができ、且つ現場において、重量のあるフィックス障子１４を窓枠２に効率良く組み込むことができる。なお、重いフィックス障子１４では、上記の新設の装着方法を採ることが好ましいが、比較的軽いフィックス障子１４では、上記の既設の装着方法を新設の装着方法として採用することが好ましい。
【００３０】
各可動網戸１５は、四周枠組みした網戸枠４６に折込み網体４７を組み込んで、構成されている。この場合、可動網戸１５は、独自の網戸枠４６を有しており、縦すべり出し障子１１や横すべり出し障子１２の枠体（窓枠２）の屋内側に添設するように配置されている。また、詳細は後述するが、可動網戸１５の屋内側には、隠し框を強調すべく内装材（外向き見切り枠５１）Ｓが近接して配置されている。
【００３１】
図２ないし図５に示すように、窓枠２は、上枠４、下枠５および両縦枠６，６から成る窓枠本体３と、等間隔に鉛直に配設した２本の方立７，７と、２本の方立７，７に直交するように水平に配設した１本の無目８と、を備えている。また、窓枠２は、各可動網戸１５を縁取るように設けた上段左右の２つの外向き見切り枠（内装材見切り枠）５１と、縦長フィックス障子１３に面して設けた上段中間の内向き見切り枠（内装材見切り枠）５２と、各フィックス障子１４に面して設けた下段の３つの下見切り枠（内装材見切り枠）５３と、を備えている。さらに、窓枠２は、各方立７の背面（屋内側）に縦通しで添設した２つの方立アタッチメント枠５４と、無目８の背面（屋内側）に添設した３分割の無目アタッチメント枠５５と、を備えている。そして、方立アタッチメント枠５４および無目アタッチメント枠５５は、内装材Ｓを支持する心材Ｔにねじ止めされている。なお、詳細は後述するが、内装材Ｓを取り付けた心材Ｔは、方立７側の心材Ｔを通しとしこれに無目８側の心材Ｔを十字状に組み込むが、実際の施工では、方立７側の心材Ｔと方立アタッチメント枠５４とをねじ止めにより一体化しておいて方立７に組み込むと共に、無目８側の心材Ｔと無目アタッチメント枠５５とをねじ止めにより一体化しておいて無目８に組み込むようにしている（図１２および図１３参照）。この心材Ｔにより、方立７および無目８の強度アップが図られると共、屋内側の全体意匠を統一的なものとすることができる。
【００３２】
図３ないし図５に示すように、上枠４は、横長方形の中空形状を有する上枠本体６１と、上枠本体６１の屋外側から上側にオフセットするようにして突出した上枠装飾突出部６２と、上枠本体６１の屋内側から垂下し下部を断面逆「Ｕ」字状に形成した上見切り枠装着受け部６３と、で一体に形成されている。同様に、下枠５は、横長方形の中空形状を有する下枠本体６５と、下枠本体６５の屋外側から下側にオフセットするようにして突出した下枠装飾突出部６６と、下枠本体６５の屋内側から立ち上がり上部を断面「Ｕ」字状に形成した下見切り枠装着受け部６７と、で一体に形成されている。また、各縦枠６は、断面「Ｌ」字状に形成した縦枠本体７１と、縦枠本体７１の屋外側から前方に突出した縦枠装飾突出部７２と、縦枠本体７１の屋内側から見付け方向内側に突出し先端部を断面逆「Ｕ」字状に形成した縦見切り枠装着受け部７３と、で一体に形成されている。そしてこの場合、上枠装飾突出部６２、下枠装飾突出部６６および両縦枠装飾突出部７２，７２はそれぞれモール状に形成され、その屋外側半部が外壁面Ｗから同寸法突出するようにそれぞれ配設されている。また、上枠４、下枠５、縦枠６のいずれもが、障子との間で屋外側および屋内側の２箇所のシール材７５を介して水密に接触している。
【００３３】
各方立７は、断面略「Ｔ」字状の方立本体８１と、方立本体８１の屋外側に添設した鉛直通し部８２と、を備えている。方立本体８１は、屋内側を開放した断面「Ｃ」字状の方立フランジ部８４と、方立フランジ部８４の屋外側から見込み方向前方に延びる中空形状の方立リブ部８５と、で一体に形成されている。方立リブ部８５の屋外側端部には、段部を介して幾分幅狭に形成した嵌合凸部８６が形成され、この嵌合凸部８６に鉛直通し部８２が接合されている。鉛直通し部８２は、上枠４と下枠５との間に継ぎ目無く通しで設けられており、中空の鉛直モール部８８と、鉛直モール部８８の左右２辺を屋内側の延長するように形成した嵌合凹部８９と、で一体に形成されている。そして、この嵌合凹部８９に、方立リブ部８５の嵌合凸部８６が嵌合し且つねじ止めすることにより、方立本体８１に鉛直通し部８２が取り付けられている。
【００３４】
一方、図８に示すように、方立本体８１には無目（無目本体１０１）８との接合部となる接合切欠き部９０が形成されている。この場合の接合切欠き部９０は、無目８の断面形状に合わせて方立本体８１を完全に切断して構成されており、加えて鉛直通し部８２の嵌合凹部８９もこの部分の無目８の断面形状に合わせて一部が切り欠かれている。但し、嵌合凹部８９は、後述する連結部材１１４が嵌まり込む切欠き溝を含んで、凹凸形状に切り欠かれている。また、図１１に示すように、方立フランジ部８４には、接合切欠き部９０の屋内側端部を鉛直方向に跨いで、これに交差する無目本体１０１を押さえる（固定する）固定部材９１が設けられている。固定部材９１は、外面が方立フランジ部８４の内面と相補形状を為すと共に、方立フランジ部８４の内側にぴったり収まる断面「Ｕ」字状に形成されており、方立フランジ部８４の小口から着脱自在に装着されている。これにより、方立本体８１と無目（無目本体１０１）８とが、がたつき無く接合されている。なお、固定部材９１は、接合切欠き部９０を跨いだ所定の位置にセットした後、方立フランジ部８４にねじ止めされる。また、固定部材９１が接合切欠き部９０を跨ぐように無目（無目本体１０１）８の屋内側端部は、固定部材９１の幅分、切り欠かれている（図１０参照）。
【００３５】
方立アタッチメント枠５４は、上記の接合切欠き部９０に対応する部分で分断されており、方立本体８１の方立フランジ部８４を屋内側から覆うように断面「Ｕ」字状に形成した枠本体９２と、枠本体９２の両辺から外側に突出した一対の装着受け部９３，９３と、で一体に形成されている。各装着受け部９３は、先端を外側に屈曲させて対面する２枚の突出片９３ａ，９３ａで構成されており、この各装着受け部９３には、上記の外向き見切り枠５１、内向き見切り枠５２、下見切り枠５３のいずれかが装着されるようになっている（詳細は後述する）。  また、各装着受け部９３を構成する２枚の突出片９３ａ，９３ａの間に位置して枠本体９２には、方立アタッチメント枠５４を方立フランジ部８４にねじ止めするための長穴（複数）９４が形成されている。すなわち、枠本体９２には、その延在方向（上下方向に）に長い長穴９４が形成され、またこの長穴９４に対応して方立フランジ部８４にねじ穴が形成されており、この長穴９４を貫通してねじ穴にビス９５が螺合している。この長穴９４により、外気温の影響（温度差が大きい）を受けて熱膨張或いは熱収縮する方立フランジ部８４の膨張力或いは収縮力を逃がし、室温の影響（温度差が小さい）を受ける方立アタッチメント枠５４に無用な外力が作用しないようにしている。
【００３６】
無目８は、断面略「Ｔ」字状の無目本体１０１と、２本の方立７，７により分断されるようにして無目本体１０１の屋外側に添設された３つの水平ピース１０２と、を備えている。無目本体１０１は、両縦枠６，６間に継ぎ目無く通しで設けられており、屋内側を開放した断面「Ｃ」字状の無目フランジ部１０４と、無目フランジ部１０４から屋外側に延びる上中空部１０６および下中空部１０７から成る無目リブ部１０５と、で一体に形成されている。この場合、無目フランジ部１０４の上部屋外側面は、上中空部１０６から立ち上がって水返し部１０４ａを構成している。無目本体１０１は方立本体８１に対し、いわゆる横通しで設けられており、両縦枠６，６間において水返し部１０４ａが水平に延在して、窓枠２の雨仕舞を良好なものとしている。
【００３７】
中空部１０７の屋外側端部には、装着あり溝１０８が形成されており、この装着あり溝１０８に各水平ピース１０２が装着されている。各水平ピース１０２は、中空の水平モール部１１１と、水平モール部１１１の上下２辺を屋内側に鏃状に延長するように形成した装着フック部１１２と、で一体に形成されており、この装着フック部１１２を無目リブ部１０５の装着あり溝１０８にプッシュイン形式で係止することで、無目本体１０１に各水平ピース１０２が装着されている。また、隣接する水平ピース１０２，１０２を連結すべく、上記の接合切欠き部９０の屋内側端部を水平方向に跨いで連結部材１１４が設けられている。連結部材１１４は、上記の装着フック部１１２の溝内に納まる補強板であり（図３および図９参照）、方立７の鉛直通し部８２に突き当てた左右の水平ピース１０２，１０２をねじ止めすることにより、隣接する水平ピース１０２，１０２を連結している。この場合、３つの水平ピース１０２の無目本体１０１への装着は、連結部材１１４を介して各水平ピース１０２を予め方立７に組み付けておき、これに無目本体１０１を相対的にプッシュインして組み付けるようにしている。このため、各水平ピース１０２の端面により方立７の鉛直通し部８２が傷つく等の支障を生ずることがない。なお、プッシュイン（スナップイン）の装着形態に代えて、挿入プラスねじ止めや挿入プラス両面テープ止め等の装着形態としてもよい。
【００３８】
無目アタッチメント枠５５は、方立アタッチメント枠５４と同様に、無目本体１０１の無目フランジ部１０４を屋内側から覆うように断面「Ｕ」字状に形成した枠本体１１６と、枠本体１１６の両辺から外側に突出した一対の装着受け部１１７，１１７と、で一体に形成されている。各装着受け部１１７は、先端を外側に屈曲させて対面する２枚の突出片１１７ａ，１１７ａで構成されており、この各装着受け部１１７には、上記の外向き見切り枠５１、内向き見切り枠５２、下見切り枠５３のいずれかが装着されるようになっている（詳細は後述する）。この場合も、２枚の突出片１１７ａ，１１７ａの間に位置して枠本体１１６には、無目アタッチメント枠５５を無目フランジ部１０４にねじ止めするための長穴（複数）１１８が形成されている。また、無目アタッチメント枠５５は、上記の接合切欠き部９０に対応する部分で分断されている。
【００３９】
なお、方立７の鉛直通し部８２および無目８の各水平ピース１０２は、上記の上枠装飾突出部６２、下枠装飾突出部６６および縦枠装飾突出部７２と同様に、モール状に形成されており、且つ外壁面Ｗから同一寸法で突出している。これにより、窓枠２は、モール状の縦横のラインが強調された外観意匠となっている（図１（ａ）および図２（ａ）参照）。また、方立７および無目８も、窓枠本体３と同様に、障子との間で屋外側および屋内側の２箇所のシール材７５を介して水密に接触している。ちなみに、この２箇所のシール材７５は、無目本体１０１および方立本体８１に設けられており、両者の接合部では、横通しで設けられた無目本体１０１の各シール材７５に方立本体８１の各シール部材７５が、上下から突き当てられる構造となる（図１０参照）。
【００４０】
一方、各可動網戸１５に対応して設けた外向き見切り枠５１と、縦長フィックス障子１３に面して設けた内向き見切り枠５２とは、同一形状および同一構造の見切り枠を表裏反転して設置されている。また、内向き見切り枠５２と、各フィックス障子１４に面して設けた下見切り枠５３とは、縦横の寸法は異なるもの同一構造の見切り枠を同一設置形態で設置している。そこで、以下これらの構造については外向き見切り枠５１を例に説明し、設置形態については外向き見切り枠５１および内向き見切り枠５２を例に説明する。
【００４１】
外向き見切り枠５１は、内装材Ｓとの境界を画成するものであり、左右の見切り縦枠１２１，１２１と上下の見切り横枠１２２，１２２とを四周枠組みして、構成されている。各見切り縦枠１２１および各見切り横枠１２２は、いずれも同一の断面形状を有しており、外面に「ハ」字状の係止部１２５を有する装着片１２４と、内装材Ｓとの境界を画成する見切り片１２６と、で断面略「Ｌ」字状に一体に形成されている。この場合、一方の見切り縦枠１２１の装着片１２４は、縦枠６の縦見切り枠装着受け部７３に、他方の見切り縦枠１２１の装着片１２４は、方立アタッチメント枠５４の装着受け部９３に、それぞれ係止され、上側の見切り横枠１２２は、上枠４の上見切り枠装着受け部６３に、下側の見切り横枠１２２は、無目アタッチメント枠５５の装着受け部１１７に、それぞれ係止されている。
【００４２】
一方、各見切り縦枠１２１および各見切り横枠１２２における各装着片１２４の幅は、可動網戸１５の厚みに対応し、見切り片１２６の幅は、内装材Ｓの厚みに対応している。すなわち、外向き見切り枠５１の屋外側には、装着片１２４の幅内に可動網戸（網戸枠４６）１５が納まっており、屋内側には、内装材Ｓの端面が突き当てられ、その見切り片１２６の内端面と内装材Ｓの外面とが面一に、且つ縦すべり出し障子１１或いは横すべり出し障子１２の框体２１，２６の内端面とが面一に配設されている。これにより、框体２１，２６や網戸枠４６との間に大きな空間が生ずることがなく、隠し框の意匠が損なわれることがない。
【００４３】
内向き見切り枠５２は、上記の外向き見切り枠５１を表裏（屋内外）反転して組み込んだものであり、可動網戸１５の厚み分見付け方向に長い内装材Ｓが、見切り片１２６に突き当られるように設けられている。この場合も、見切り片１２６の内端面と内装材Ｓの外面とが面一に、且つ縦すべり出し障子１１或いは横すべり出し障子１２の框体２１，２６の内端面とが面一に配設されている。これにより、框体２１，２６との間に大きな空間が生ずることがなく、隠し框の意匠が損なわれることがない。
このように、外向き見切り枠５１と内向き見切り枠５２とを、可動網戸１５および内装材Ｓを考慮して断面「Ｌ」字状に形成することのより、部品構成を共通化することができると共に、隠し框の意匠を損なうことなく、可動網戸１５および内装材Ｓの収まりを良好にすることができる。
【００４４】
次に、図８ないし図１４を参照して、方立７および無目８の組立て方法について簡単に説明する。窓枠２の組立ては工場においてこれを寝かした状態で行われるが、予め四周枠組みした窓枠本体３に、方立７および無目８を組み込んでもよいし、方立７および無目８を予め組み立てておいて、これに窓枠本体３を組み込んでもよい。なお、本実施形態では、方立７および無目８を組んだ後、これに上枠４および下枠５を組み、さらに両縦枠６，６を組み込むようにしている。方立７および無目８の組立ては、先ず方立本体８１と鉛直通し部８２を組み立てると共に、接合切欠き部９０に連結部材１１４をセットする（図８参照：１本の方立７のみ図示）。次に、方立７の両側に無目８の水平ピース１０２をそれぞれ突き当てるように配置し、連結部材１１４により両水平ピース１０２を連結固定する（図９参照）。
【００４５】
続いて、無目本体１０１を、接合切欠き部９０に嵌め入れるようにし、且つ無目本体１０１の無目リブ部１０５を両水平ピース１０２，１０２にプッシュインで装着する（図１０参照）。この状態では、連結部材１１４を介して方立７に無目８が仮固定された状態となる。次に、方立本体８１の小口から固定部材９１を挿入し、接合切欠き部９０を跨ぐ位置にセットしねじ止めする（図１１参照）。この状態では、無目本体１０１が、鉛直通し部８２と固定部材９１との間に挟持され、方立７に無目８ががたつき無く固定されこの両者が一体化する。続いて、方立アタッチメント枠５４を心材Ｔに取り付け（ねじ止め）ておいて、これを方立本体８１に固定する（図１２参照）。同様に、無目アタッチメント枠５５を心材Ｔに取り付けておいて、これを無目本体１０１に固定する（図１３参照）。そして最後に、各見切り枠５１，５２，５３を組み付ける（図１４参照）。
【００４６】
以上のように、本実施形態によれば、十字状に接合された方立７および無目８において、方立７は縦通しとなる鉛直通し部８２を有し、無目８は横通しとなる無目本体１０１を有しているため、方立７および無目８の強度を維持しつつこれを適切に接合することができる。また、横通しとなる無目本体１０１に水返し部１０４ａが形成されているため、良好な雨仕舞性を維持することができる。したがって、方立７および無目８の接合部を、高い強度と雨仕舞性とを併せ持たせた構造とすることができる。
【００４７】
次に、図１５を参照して、方立７に無目８が横「Ｔ」字状に突き当てられる第２実施形態の接合部の構造について説明する。この実施形態では、方立７は、その方立フランジ部８４の一方の屋内側屈曲片１３１が無目８の幅分切りかかれており、また無目８の端部は、その無目リブ部１０５が方立７の半部断面形状に合わせて切り欠かれている。そして、これら両者の切欠き部同士を接合するようにしている。この場合、方立フランジ部８４の内側に突設した一対のスペーサ突起１３２，１３２に、無目フランジ部１０４の屋外側の面を押し当てることにより、方立本体８１のシール材７５の位置と無目本体１０１のシール材７５の位置とが見込み方向において合致するようになっている。なお、この場合も、固定部材（図示省略）により方立７に無目８を一体化する。
【図面の簡単な説明】
【００４８】
【図１】実施形態に係る第１の窓の屋外姿図（ａ）および屋内姿図（ｂ）である。
【図２】実施形態に係る第２の窓の屋外姿図（ａ）および屋内姿図（ｂ）である。
【図３】第２の窓の縦すべり出し窓位置における縦断面図である。
【図４】第２の窓の上段における横断面図である。
【図５】第２の窓の横すべり出し窓位置における部分縦断面図である。
【図６】フィックス障子の取付け方法を表した説明図である。
【図７】フィックス障子の取外し方法を表した説明図である。
【図８】方立と無目の組立て手順の手順（１）を表した斜視図である。
【図９】方立と無目の組立て手順の手順（２）を表した斜視図である。
【図１０】方立と無目の組立て手順の手順（３）を表した斜視図である。
【図１１】方立と無目の組立て手順の手順（４）を表した斜視図である。
【図１２】方立と無目の組立て手順の手順（５）を表した斜視図である。
【図１３】方立と無目の組立て手順の手順（６）を表した斜視図である。
【図１４】方立と無目の組立て手順の手順（７）を表した斜視図である。
【図１５】第２実施形態に係る方立と無目の組立て方法を表した斜視図である。
【符号の説明】
【００４９】
１Ａ…第１の窓  １Ｂ…第２の窓  ２…窓枠  ３…窓枠本体  ７…方立  ８…無目  １１…縦すべり出し障子  １２…横すべり出し障子  １３…縦長フィックス障子  １４…フィックス障子  ８１…方立本体  ８２…鉛直通し部  ８４…方立フランジ部  ８５…方立リブ部  ９０…接合切欠き部  ９１…固定部材  １０１…無目本体  １０２…水平ピース  １０４…無目フランジ部  １０４ａ…水返し部  １０５…無目リブ部  １０８…装着あり溝  １１２…装着フック部  １１４…連結部材  Ｓ…内装材  Ｗ…外壁面
【図１】
0004549248.tif 000002
【図２】
0004549248.tif 000003
【図３】
0004549248.tif 000004
【図４】
0004549248.tif 000005
【図５】
0004549248.tif 000006
【図６】
0004549248.tif 000007
【図７】
0004549248.tif 000008
【図８】
0004549248.tif 000009
【図９】
0004549248.tif 000010
【図１０】
0004549248.tif 000011
【図１１】
0004549248.tif 000012
【図１２】
0004549248.tif 000013
【図１３】
0004549248.tif 000014
【図１４】
0004549248.tif 000015
【図１５】
0004549248.tif 000016